(57)【要約】  本願の実施例はアップリンク制御情報の伝送方法及び関連製品を開示し、端末は複数の時間ユニットが含まれるプリセットのリソース集合における時間ユニット内で、連続時間で伝送される１つの伝送ブロック（ＴＢ）のみを受信することと、端末はアップリンク時間ユニット内で、ＴＢに対応する１ビットのフィードバック応答情報のみを伝送することとを含む。本願の実施例は、ＮＲシステムにおいて準静的ＡＣＫ／ＮＡＣＫ情報の決定方法を採用するように構成される端末を実現して、フィードバックオーバーヘッドを低減させ、システム効率を向上させる。
2021515466.tif 000002
【特許請求の範囲】
【請求項１】
アップリンク制御情報の伝送方法であって、
端末は複数の時間ユニットが含まれるプリセットのリソース集合における時間ユニット内で、連続時間で伝送される１つの伝送ブロック（ＴＢ）のみを受信することと、
前記端末はアップリンク時間ユニット内で、前記ＴＢに対応する１ビットのフィードバック応答情報のみを伝送することと、を含むことを特徴とするアップリンク制御情報の伝送方法。
【請求項２】
前記端末はアップリンク時間ユニット内で、前記ＴＢに対応する１ビットのフィードバック応答情報のみを伝送する前に、前記方法は、
前記端末は前記ＴＢが予定の条件を満たすことを決定することを更に含むことを特徴とする請求項１に記載の方法。
【請求項３】
前記予定の条件は、
前記ＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
フィードバック応答情報を伝送するためのアップリンク制御チャネル（ＰＵＣＣＨ）のフォーマットがフォーマット０又はフォーマット１であること、
第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記ＴＢの伝送の占有する時間ユニットであり、前記第２時間ユニットが前記プリセットのリソース集合に対応する時間ユニットであること、
第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、
前記第３時間ユニットにＰＤＣＣＨ監視ポイントがないこと、のうちの少なくとも１種を含むことを特徴とする請求項２に記載の方法。
【請求項４】
前記プリセットのリソース集合における時間ユニットは、異なるダウンリンクデータの伝送に用いられ、
前記アップリンク時間ユニット内で伝送されるフィードバック応答情報の数は前記プリセットのリソース集合における時間ユニットの数によって決定されることを特徴とする請求項１〜３のいずれか１項に記載の方法。
【請求項５】
前記端末は、準静的決定のフィードバック応答情報シーケンス決定モードに構成されることを特徴とする請求項１〜４のいずれか１項に記載の方法。
【請求項６】
アップリンク制御情報の伝送方法であって、
ネットワーク装置は複数の時間ユニットが含まれるプリセットのリソース集合における時間ユニット内で、連続時間で伝送される１つのＴＢのみを伝送することと、
前記ネットワーク装置はアップリンク時間ユニット内で、前記ＴＢに対応する１ビットのフィードバック応答情報のみを受信することと、を含むことを特徴とするアップリンク制御情報の伝送方法。
【請求項７】
前記ＴＢが予定の条件を満たすことを特徴とする請求項６に記載の方法。
【請求項８】
前記予定の条件は、
前記ＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
フィードバック応答情報を伝送するためのアップリンク制御チャネル（ＰＵＣＣＨ）のフォーマットがフォーマット０又はフォーマット１であること、
第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記ＴＢの伝送の占有する時間ユニットであり、前記第２時間ユニットが前記プリセットのリソース集合に対応する時間ユニットであること、
第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、
前記第３時間ユニットにＰＤＣＣＨ監視ポイントがないこと、のうちの少なくとも１種を含むことを特徴とする請求項７に記載の方法。
【請求項９】
前記プリセットのリソース集合における時間ユニットは、異なるダウンリンクデータの伝送に用いられ、
前記アップリンク時間ユニット内で伝送されるフィードバック応答情報の数は前記プリセットのリソース集合における時間ユニットの数によって決定されることを特徴とする請求項６〜８のいずれか１項に記載の方法。
【請求項１０】
前記端末は、準静的決定のフィードバック応答情報シーケンス決定モードに構成されることを特徴とする請求項６〜９のいずれか１項に記載の方法。
【請求項１１】
端末であって、処理ユニット及び通信ユニットを備え、
前記処理ユニットは、複数の時間ユニットが含まれるプリセットのリソース集合における時間ユニット内で、連続時間で伝送される１つのＴＢのみを、前記通信ユニットを介して受信すること、及び、アップリンク時間ユニット内で、前記ＴＢに対応する１ビットのフィードバック応答情報のみを、前記通信ユニットを介して伝送することに用いられることを特徴とする端末。
【請求項１２】
ネットワーク装置であって、処理ユニット及び通信ユニットを備え、
前記処理ユニットは、複数の時間ユニットが含まれるプリセットのリソース集合における時間ユニット内で、連続時間で伝送される１つのＴＢのみを、前記通信ユニットを介して伝送すること、及び、アップリンク時間ユニット内で、前記ＴＢに対応する１ビットのフィードバック応答情報のみを前記通信ユニットを介して受信することに用いられることを特徴とするネットワーク装置。
【請求項１３】
端末であって、プロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは請求項１〜５のいずれか１項に記載の方法のステップを実行するための命令を含むことを特徴とする端末。
【請求項１４】
ネットワーク装置であって、プロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは請求項６〜１０のいずれか１項に記載の方法のステップを実行するための命令を含むことを特徴とするネットワーク装置。
【請求項１５】
コンピュータ可読記憶媒体であって、電子データ交換用のコンピュータプログラムが記憶され、前記コンピュータプログラムはコンピュータに請求項１〜１０のいずれか１項に記載の方法を実行させることを特徴とするコンピュータ可読記憶媒体。
【発明の詳細な説明】
【技術分野】
【０００１】
本願は通信技術分野に関し、特にアップリンク制御情報の伝送方法及び関連製品に関する。
【背景技術】
【０００２】
現在、第３世代パートナーシッププロジェクト（３ＧＰＰ）で確定できるように、端末がプリセットのリソース集合に対応するスロット（ｓｌｏｔ）内に、主搬送波のみで、ダウンリンク制御情報ＤＣＩ  ｆｏｒｍａｔ  １＿０によってスケジューリングされた１つの物理ダウンリンク共有チャネル（ＰＤＳＣＨ）を受信し、又は、主搬送波のみで、半静的スケジューリングＳＰＳリソースのリリースを示すＤＣＩ  ｆｏｒｍａｔ  １＿０を受信し、且つ該ＤＣＩ  ｆｏｒｍａｔ  １＿０におけるダウンリンク割当てインデックス（ｄｏｗｎｌｉｎｋ  ａｓｓｉｇｎｍｅｎｔ  ｉｎｄｉｃａｔｏｒ、ＤＡＩ）情報フィールドの値が１である場合、端末により決定されたフィードバック応答情報シーケンス（ＡＣＫ／ＮＡＣＫ  ｃｏｄｅｂｏｏｋ）は、該ＰＤＳＣＨ又はＳＰＳリソースのリリースを示すＤＣＩに対応するＡＣＫ／ＮＡＣＫ情報のみを含む。
【０００３】
更に、新無線（ＮＲ）システムはスロット集約（ｓｌｏｔ  ａｇｇｒｅｇａｔｉｏｎ）をサポートし、即ち、１つの伝送ブロック（ＴＢ）が連続時間で繰り返して伝送され、各ｓｌｏｔには１つの独立したＰＤＳＣＨであり、このときに、端末は単一のコードワード伝送のみをサポートする。プリセットのリソース集合に対応するｓｌｏｔ内に、主搬送波のみで、ＤＣＩ  ｆｏｒｍａｔ  １＿０によってスケジューリングされた、スロット集約をサポートする１つのＴＢを受信した場合、如何にしてＡＣＫ／ＮＡＣＫのフィードバックを行うかについては、検討されていない。
【発明の概要】
【発明が解決しようとする課題】
【０００４】
本願の実施例はアップリンク制御情報の伝送方法及び関連製品を提供し、ＮＲシステムにおいて準静的ＡＣＫ／ＮＡＣＫ情報の決定方法を採用するように構成される端末を実現して、フィードバックオーバーヘッドを低減させ、システム効率を向上させる。
【課題を解決するための手段】
【０００５】
第１態様では、本願の実施例はアップリンク制御情報の伝送方法を提供し、
端末は複数の時間ユニットが含まれるプリセットのリソース集合における時間ユニット内で、連続時間で伝送される１つのＴＢのみを受信することと、
前記端末はアップリンク時間ユニット内で、前記ＴＢに対応する１ビットのフィードバック応答情報のみを伝送することと、を含む。
【０００６】
第２態様では、本願の実施例はアップリンク制御情報の伝送方法を提供し、
ネットワーク装置は複数の時間ユニットが含まれるプリセットのリソース集合における時間ユニット内で、連続時間で伝送される１つのＴＢのみを伝送することと、
前記ネットワーク装置はアップリンク時間ユニット内で、前記ＴＢに対応する１ビットのフィードバック応答情報のみを受信することと、を含む。
【０００７】
第３態様では、本願の実施例は端末を提供し、該端末は上記方法設計における端末の挙動を実現する機能を有する。前記機能はハードウェアによって実現されてもよく、対応するソフトウェアを実行するハードウェアによって実現されてもよい。前記ハードウェア又はソフトウェアは、上記機能に対応する１つ又は複数のモジュールを含む。１つの可能な設計において、端末はプロセッサを備え、前記プロセッサは端末が上記方法における対応の機能を実行するのをサポートするように構成される。また、端末は端末とネットワーク装置との間の通信をサポートするための送受信機を更に備えてもよい。また、端末は、プロセッサと結合して、端末に必要なプログラム命令及びデータを保存するためのメモリを更に備えてもよい。
【０００８】
第４態様では、本願の実施例はネットワーク装置を提供し、該ネットワーク装置は、上記方法設計におけるネットワーク装置の挙動を実現する機能を有する。前記機能はハードウェアによって実現されてもよく、対応するソフトウェアを実行するハードウェアによって実現されてもよい。前記ハードウェア又はソフトウェアは上記機能に対応する１つ又は複数のモジュールを含む。１つの可能な設計において、ネットワーク装置はプロセッサを備え、前記プロセッサはネットワーク装置が上記方法における対応の機能を実行するのをサポートするように構成される。また、ネットワーク装置はネットワーク装置と端末との間の通信をサポートするための送受信機を更に備えてもよい。また、ネットワーク装置は、プロセッサと結合して、ネットワーク装置に必要なプログラム命令及びデータを保存するためのメモリを更に備えてもよい。
【０００９】
第５態様では、本願の実施例は端末を提供し、プロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは本願の実施例の第２態様におけるいずれかの方法のステップを実行するための命令を含む。
【００１０】
第６態様では、本願の実施例はネットワーク装置を提供し、プロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは本願の実施例の第２態様におけるいずれかの方法のステップを実行するための命令を含む。
【００１１】
第７態様では、本願の実施例はコンピュータ可読記憶媒体を提供し、前記コンピュータ可読記憶媒体には、電子データ交換用のコンピュータプログラムが記憶され、前記コンピュータプログラムはコンピュータに本願の実施例の第１態様におけるいずれかの方法に説明される一部又は全部のステップを実行させる。
【００１２】
第８態様では、本願の実施例はコンピュータ可読記憶媒体を提供し、前記コンピュータ可読記憶媒体には、電子データ交換用のコンピュータプログラムが記憶され、前記コンピュータプログラムはコンピュータに本願の実施例の第２態様におけるいずれかの方法に説明される一部又は全部のステップを実行させる。
【００１３】
第９態様では、本願の実施例はコンピュータプログラム製品を提供し、前記コンピュータプログラム製品は、コンピュータプログラムが記憶される非一時的なコンピュータ可読記憶媒体を含み、前記コンピュータプログラムはコンピュータに本願の実施例の第１態様又は第２態様におけるいずれかの方法に説明される一部又は全部のステップを実行させるように動作することができる。該コンピュータプログラム製品はソフトウェアインストールパッケージであってもよい。
【発明の効果】
【００１４】
明らかなように、本願の実施例では、端末はプリセットのリソース集合における時間ユニット内で１つのＴＢのみを受信し、端末はアップリンク時間ユニット内で、ＴＢに対応する１ビットのフィードバック応答情報のみを伝送する。ＴＢが連続時間で伝送され、且つプリセットのリソース集合には複数の時間ユニットが含まれ、すなわち、端末はプリセットのリソース集合における時間ユニット内で１つのＴＢのみを受信した場合、端末は現在のプリセットのリソース集合における時間ユニット内に新しいＴＢがないことを決定できるため、対応して、アップリンク時間ユニット内で、該ＴＢに対応する１ビットのフィードバック応答情報のみを伝送する。それにより、ＮＲシステムにおいて準静的ＡＣＫ／ＮＡＣＫ情報の決定方法を採用するように構成される端末を実現して、フィードバックオーバーヘッドを低減させ、システム効率を向上させる。
【図面の簡単な説明】
【００１５】
以下、実施例又は従来技術の説明に使用する図面を簡単に説明する。
【図１】図１は本願の実施例に係る可能な通信システムのネットワークアーキテクチャ図である。
【図２Ａ】図２Ａは本願の実施例に係るアップリンク制御情報の伝送方法の模式的なフローチャットである。
【図２Ｂ】図２Ｂは本願の実施例に係るＴＢ１の受信状況に基づいて端末がフィードバック応答情報を伝送する模式図である。
【図２Ｃ】図２Ｃは本願の実施例に係るＴＢ１の受信状況に基づいて端末がフィードバック応答情報を伝送する他の模式図である。
【図３】図３は本願の実施例に係るアップリンク制御情報の伝送方法の他の模式的なフローチャットである。
【図４】図４は本願の実施例に係るアップリンク制御情報の伝送方法の他の模式的なフローチャットである。
【図５】図５は本願の実施例に係る端末の構造模式図である。
【図６】図６は本願の実施例に係るネットワーク装置の構造模式図である。
【図７】図７は本願の実施例に係る端末の機能ユニットの構造ブロック図である。
【図８】図８は本願の実施例に係るネットワーク装置の機能ユニットの構造ブロック図である。
【発明を実施するための形態】
【００１６】
以下、図面を参照しながら本願の実施例における技術案を説明する。
【００１７】
例示的に、図１は本願に係る無線通信システムを示している。該無線通信システム１００は高周波帯域で動作することができ、ロングタームエボリューション（Ｌｏｎｇ  Ｔｅｒｍ  Ｅｖｏｌｕｔｉｏｎ、ＬＴＥ）システムに限定されず、将来の進化する第５世代移動通信（ｔｈｅ  ５ｔｈ  Ｇｅｎｅｒａｔｉｏｎ、５Ｇ）システム、新無線（ＮＲ）システム、マシンツーマシン通信（Ｍａｃｈｉｎｅ  ｔｏ  Ｍａｃｈｉｎｅ、Ｍ２Ｍ）システム等であってもよい。該無線通信システム１００は１つ又は複数のネットワーク装置１０１、１つ又は複数の端末１０３、及びコアネットワーク装置１０５を備える。ネットワーク装置１０１は基地局であってもよく、基地局は１つ又は複数の端末と通信することに用いられてもよく、一部の端末機能を有する１つ又は複数の基地局（例えばマクロ基地局及びマイクロ基地局）と通信することに用いられてもよい。基地局は時分割同期符号分割多元接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）システムにおけるベーストランシーバ基地局（Ｂａｓｅ  Ｔｒａｎｓｃｅｉｖｅｒ  Ｓｔａｔｉｏｎ、ＢＴＳ）であってもよく、ＬＴＥシステムにおける進化型基地局（Ｅｖｏｌｕｔｉｏｎａｌ  Ｎｏｄｅ  Ｂ、ｅＮＢ）、及び５Ｇシステム、新無線（ＮＲ）システムにおける基地局であってもよい。また、基地局はアクセスポイント（Ａｃｃｅｓｓ  Ｐｏｉｎｔ、ＡＰ）、伝送ノード（Ｔｒａｎｓ  ＴＲＰ）、中央装置（Ｃｅｎｔｒａｌ  Ｕｎｉｔ、ＣＵ）又は他のネットワークエンティティであってもよく、且つ以上のネットワークエンティティの機能の一部又は全部の機能を含んでもよい。コアネットワーク装置１０５はアクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）エンティティ、ユーザープレーン機能（Ｕｓｅｒ  Ｐｌａｎｅ  Ｆｕｎｃｔｉｏｎ、ＵＰＦ）エンティティ、及びセッション管理機能（Ｓｅｓｓｉｏｎ  Ｍａｎａｇｅｍｅｎｔ  Ｆｕｎｃｔｉｏｎ、ＳＭＦ）等のコアネットワーク側の装置を含む。端末１０３は無線通信システム１００全体に分布することができ、固定式又は移動式であってもよい。本願のいくつかの実施例では、端末１０３は携帯機器（例えばスマートフォン）、移動局（ｍｏｂｉｌｅ  ｓｔａｔｉｏｎ）、モバイルユニット（ｍｏｂｉｌｅ  ｕｎｉｔ）、Ｍ２Ｍ端末、無線ユニット、リモートユニット、ユーザーエージェント、モバイルクライアント等であってもよい。
【００１８】
なお、図１に示される無線通信システム１００は、本願の技術案をより明瞭に説明するためのものに過ぎず、本願を限定するものではなく、当業者であれば分かるように、ネットワークアーキテクチャの進化及び新しいサービスシーンの出現に伴って、本願に係る技術案は類似の技術的課題に同様に適用できる。
【００１９】
以下、本願に係る関連技術を説明する。
【００２０】
現在、第５世代移動通信技術（５ｔｈ−Ｇｅｎｅｒａｔｉｏｎ、５Ｇ）の新無線（ｎｅｗ  ｒａｄｉｏ、ＮＲ）システムでは、ダウンリンク物理共有チャネル（ＰＤＳＣＨ）の場合、フィードバック応答情報を動的に示すフィードバックタイミング（ＨＡＲＱ  ｔｉｍｉｎｇ）がサポートされ、即ち、端末は１つのプリセットのリソース集合を決定し、該プリセットのリソース集合には最大８つの値｛Ｋ１０，Ｋ１１，Ｋ１２，Ｋ１３，Ｋ１４，Ｋ１５，Ｋ１６，Ｋ１７｝が含まれる。ダウンリンク制御シグナリング（ＤＣＩ）がスロット（ｓｌｏｔ）ｎで伝送されるＰＤＳＣＨでは、該ＤＣＩはプリセットのリソース集合における値Ｋ１ｉを示すための３ビットのターゲット情報フィールドを含み、対応して、端末はｓｌｏｔ  ｎ＋Ｋ１ｉ内で、該ＰＤＳＣＨに対応するフィードバック応答情報ＡＣＫ／ＮＡＣＫを送信する。ＤＣＩフォーマット１＿０の場合、対応するプリセットのタイミング集合は｛１，２，３，４，５，６，７，８｝に一定する。ＤＣＩフォーマット１＿１の場合、プリセットのタイミング集合における値は上位層のパラメータによって設定される。
【００２１】
また、ＮＲシステムではフィードバック応答情報ＡＣＫ／ＮＡＣＫの多重化伝送がサポートされ、即ち、複数のＰＤＳＣＨに対応するＡＣＫ／ＮＡＣＫは１つの物理アップリンク制御チャネル（ＰＵＣＣＨ）を介して伝送される。ＡＣＫ／ＮＡＣＫの多重化伝送の場合、ＡＣＫ／ＮＡＣＫビット数の準静的決定（ｓｅｍｉ−ｓｔａｔｉｃ  ＨＡＲＱ−ＡＣＫ  ｃｏｄｅｂｏｏｋ）及びＡＣＫ／ＮＡＣＫビット数の動的決定（ｄｙｎａｍｉｃ  ＨＡＲＱ−ＡＣＫ  ｃｏｄｅｂｏｏｋ）という２種のＡＣＫ／ＮＡＣＫの生成方式を更にサポートする。ＡＣＫ／ＮＡＣＫビット数の準静的決定に設定する場合、端末はプリセットのリソース集合における最大値及び最小値に基づいて、ＡＣＫ／ＮＡＣＫのビット数を決定する。例えば、シングルキャリア、単一のコードワード伝送の場合、プリセットのリソース集合は｛１，２，３，４，５，６，７，８｝であり、ＡＣＫ／ＮＡＣＫのビット数は８−１＝７ビットである。
【００２２】
本願の実施例は以下の実施例を提供し、以下、図面を参照しながら詳細に説明する。
【００２３】
図２Ａを参照すると、図２Ａは本願の実施例に係るアップリンク制御情報の伝送方法であり、上記例示的な通信システムにおける端末に適用され、該方法は下記ステップ２０１とステップ２０２を含む。
【００２４】
ステップ２０１では、前記端末は複数の時間ユニットが含まれるプリセットのリソース集合における時間ユニット内で、連続時間で伝送される１つの伝送ブロック（ＴＢ）のみを受信し、
前記ＴＢは連続時間内で繰り返して伝送され得る。
【００２５】
ステップ２０２では、前記端末はアップリンク時間ユニット内で、前記ＴＢに対応する１ビットのフィードバック応答情報のみを伝送する。
【００２６】
明らかなように、本願の実施例では、端末はプリセットのリソース集合における時間ユニット内で１つのＴＢのみを受信し、端末はアップリンク時間ユニット内でＴＢに対応する１ビットのフィードバック応答情報のみを伝送する。ＴＢが連続時間で伝送され、且つプリセットのリソース集合には複数の時間ユニットが含まれ、すなわち、端末がプリセットのリソース集合における時間ユニット内で１つのＴＢのみを受信した場合、端末は現在のプリセットのリソース集合における時間ユニット内に新しいＴＢがないことを決定できるため、対応して、アップリンク時間ユニット内で該ＴＢに対応する１ビットのフィードバック応答情報のみを伝送する。それにより、ＮＲシステムにおいて準静的ＡＣＫ／ＮＡＣＫ情報の決定方法を採用するように構成される端末を実現して、フィードバックオーバーヘッドを低減させ、システム効率を向上させる。
【００２７】
１つの可能な例では、前記端末がアップリンク時間ユニット内で、前記ＴＢに対応する１ビットのフィードバック応答情報のみを伝送する前に、前記方法は、
前記端末は前記ＴＢが予定の条件を満たすことを決定することを更に含む。
【００２８】
１つの可能な例では、前記予定の条件は、以下の（１）〜（５）のうちの少なくとも１つを含む。
【００２９】
（１）前記ＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること。
【００３０】
（２）フィードバック応答情報を伝送するためのアップリンク制御チャネル（ＰＵＣＣＨ）のフォーマットがフォーマット０又はフォーマット１であること。
前記ＰＵＣＣＨのフォーマットは基地局によって予め設定され得る。
【００３１】
（３）第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記ＴＢの伝送の占有する時間ユニットであり、前記第２時間ユニットが前記プリセットのリソース集合に対応する時間ユニットであること。
前記第１時間ユニットは具体的に、前記ＴＢの繰り返し伝送により占有される時間ユニットであってもよい。
図２Ｂに示されるように、プリセットのリソース集合は４つのｓｌｏｔを含むと仮定し、ＰＤＳＣＨの繰り返し伝送の回数が上位層のシグナリングによって４に設定され、且つＴＢ１が占有する最後のｓｌｏｔは該プリセットのリソース集合における最後のｓｌｏｔであり、即ち、現在伝送されるＴＢ１は条件（３）を満たし、従って、端末はアップリンクｓｌｏｔ内で、１ビットのフィードバック応答情報ＡＣＫ／ＮＡＣＫのみをフィードバックする。
【００３２】
（４）第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること。
【００３３】
（５）前記第３時間ユニットにＰＤＣＣＨ監視ポイントがないこと。
図２Ｃに示されるように、プリセットのリソース集合は４つのｓｌｏｔを含むと仮定し、ＰＤＳＣＨの繰り返し伝送の回数が上位層のシグナリングによって４に設定され、伝送ブロック（ＴＢ）１が該プリセットのリソース集合における最初の３つのｓｌｏｔを占有し、且つｓｌｏｔ  ｎ＋５がＰＤＣＣＨの監視ポイントではなく（即ち、ｓｌｏｔ  ｎ＋５にはＳＰＳリソースのリリースを示すＤＣＩがない）、該プリセットのリソース集合が１つの新しいＴＢ（４つのｓｌｏｔを占有する）を伝送するには不十分であり、即ち、現在伝送されるＴＢ１は条件（４）、（５）を満たし、従って、端末はアップリンクｓｌｏｔ内で、１ビットのフィードバック応答情報ＡＣＫ／ＮＡＣＫのみをフィードバックする。
【００３４】
１つの可能な例では、前記プリセットのリソース集合における時間ユニットは、異なるダウンリンクデータの伝送に用いられ、
前記アップリンク時間ユニット内で伝送されるフィードバック応答情報の数は前記プリセットのリソース集合における時間ユニットの数によって決定される。
【００３５】
これから分かるように、本例では、プリセットのリソース集合における時間ユニットは異なるダウンリンクデータを伝送することに用いられることができ、フィードバック応答情報の数は前記プリセットのリソース集合における時間ユニットの数に基づいて決定されるため、端末と基地局のフィードバック応答情報に対する理解が同じであることを確保して、正確な復調を実現する。
【００３６】
１つの可能な例では、前記端末は準静的決定のフィードバック応答情報シーケンス決定モードに構成される。
【００３７】
前記準静的決定のフィードバック応答情報シーケンス決定モードは、基準でＴｙｐｅ−１  ＨＡＲＱ−ＡＣＫ  ｃｏｄｅｂｏｏｋ  ｄｅｔｅｒｍｉｎａｔｉｏｎとも呼称される。
【００３８】
図２Ａに示される実施例と同じように、図３を参照すると、図３は本願の実施例に係る他のアップリンク制御情報の伝送方法であり、上記例示的な通信システムにおけるネットワーク装置に適用され、該方法は、
前記ネットワーク装置は、複数の時間ユニットが含まれるプリセットのリソース集合における時間ユニット内で、連続時間で繰り返して伝送される１つのＴＢのみを伝送するステップ３０１と、
前記ネットワーク装置がアップリンク時間ユニット内で、前記ＴＢに対応する１ビットのフィードバック応答情報のみを受信するステップ３０２と、を含む。
【００３９】
明らかなように、本願の実施例では、端末はプリセットのリソース集合における時間ユニット内で１つのＴＢのみを受信し、端末はアップリンク時間ユニット内でＴＢに対応する１ビットのフィードバック応答情報のみを伝送する。ＴＢが連続時間で伝送され、且つプリセットのリソース集合には複数の時間ユニットが含まれ、すなわち、端末がプリセットのリソース集合における時間ユニット内で１つのＴＢのみを受信した場合、端末は現在のプリセットのリソース集合における時間ユニット内に新しいＴＢがないことを決定できるため、対応して、アップリンク時間ユニット内で該ＴＢに対応する１ビットのフィードバック応答情報のみを伝送する。それにより、ＮＲシステムにおいて準静的ＡＣＫ／ＮＡＣＫ情報の決定方法を採用するように構成される端末を実現して、フィードバックオーバーヘッドを低減させ、システム効率を向上させる。
【００４０】
１つの可能な例では、前記ＴＢは予定の条件を満たす。
【００４１】
１つの可能な例では、前記予定の条件は、
（１）前記ＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
（２）フィードバック応答情報を伝送するためのアップリンク制御チャネル（ＰＵＣＣＨ）のフォーマットがフォーマット０又はフォーマット１であること、
（３）第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記ＴＢの伝送の占有する時間ユニットであり、前記第２時間ユニットが前記プリセットのリソース集合に対応する時間ユニットであること、
（４）第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、
（５）前記第３時間ユニットにＰＤＣＣＨ監視ポイントがないこと、のうちの少なくとも１つを含む。
【００４２】
１つの可能な例では、前記プリセットのリソース集合における時間ユニットは、異なるダウンリンクデータの伝送に用いられ、
前記アップリンク時間ユニット内で伝送されるフィードバック応答情報の数は前記プリセットのリソース集合における時間ユニットの数によって決定される。
【００４３】
１つの可能な例では、前記端末は準静的決定のフィードバック応答情報シーケンス決定モードに構成される。
【００４４】
図２Ａ及び図３の実施例と同じように、図４を参照すると、図４は本願の実施例に係るアップリンク制御情報の伝送方法であり、上記例示的な通信システムにおける端末及びネットワーク装置に適用され、該方法は、
前記ネットワーク装置は複数の時間ユニットが含まれるプリセットのリソース集合における時間ユニット内で、連続時間で繰り返して伝送される１つのＴＢのみを伝送するステップ４０１と、
前記端末は複数の時間ユニットが含まれるプリセットのリソース集合における時間ユニット内で、連続時間で繰り返して伝送される１つの伝送ブロック（ＴＢ）のみを受信するステップ４０２と、
前記端末はアップリンク時間ユニット内で、前記ＴＢに対応する１ビットのフィードバック応答情報のみを伝送するステップ４０３と、
前記ネットワーク装置はアップリンク時間ユニット内で、前記ＴＢに対応する１ビットのフィードバック応答情報のみを受信するステップ４０４と、を含む。
【００４５】
明らかなように、本願の実施例では、端末はプリセットのリソース集合における時間ユニット内で１つのＴＢのみを受信し、端末はアップリンク時間ユニット内でＴＢに対応する１ビットのフィードバック応答情報のみを伝送する。ＴＢが連続時間で伝送され、且つプリセットのリソース集合には複数の時間ユニットが含まれ、すなわち、端末がプリセットのリソース集合における時間ユニット内で１つのＴＢのみを受信した場合、端末は現在のプリセットのリソース集合における時間ユニット内に新しいＴＢがないことを決定できるため、対応して、アップリンク時間ユニット内で該ＴＢに対応する１ビットのフィードバック応答情報のみを伝送する。それにより、ＮＲシステムにおいて準静的ＡＣＫ／ＮＡＣＫ情報の決定方法を採用するように構成される端末を実現して、フィードバックオーバーヘッドを低減させ、システム効率を向上させる。
【００４６】
上記の実施例と同じように、図５を参照すると、図５は本願の実施例に係る端末の構造模式図であり、図に示されるように、該端末はプロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは以下のステップを実行するための命令を含む。
【００４７】
複数の時間ユニットが含まれるプリセットのリソース集合における時間ユニット内で、連続時間で繰り返して伝送される１つの伝送ブロックＴＢのみを受信し、
アップリンク時間ユニット内で、前記ＴＢに対応する１ビットのフィードバック応答情報のみを伝送する。
【００４８】
明らかなように、本願の実施例では、端末はプリセットのリソース集合における時間ユニット内で１つのＴＢのみを受信し、端末はアップリンク時間ユニット内でＴＢに対応する１ビットのフィードバック応答情報のみを伝送する。ＴＢが連続時間で伝送され、且つプリセットのリソース集合には複数の時間ユニットが含まれ、すなわち、端末がプリセットのリソース集合における時間ユニット内で１つのＴＢのみを受信した場合、端末は現在のプリセットのリソース集合における時間ユニット内に新しいＴＢがないことを決定できるため、対応して、アップリンク時間ユニット内で該ＴＢに対応する１ビットのフィードバック応答情報のみを伝送する。それにより、ＮＲシステムにおいて準静的ＡＣＫ／ＮＡＣＫ情報の決定方法を採用するように構成される端末を実現して、フィードバックオーバーヘッドを低減させ、システム効率を向上させる。
【００４９】
１つの可能な例では、前記プログラムは、アップリンク時間ユニット内で前記ＴＢに対応する１ビットのフィードバック応答情報のみを伝送する前に、前記ＴＢが予定の条件を満たすことを決定するという操作を実行するための命令を更に含む。
【００５０】
１つの可能な例では、前記予定の条件は、
前記ＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
フィードバック応答情報を伝送するためのアップリンク制御チャネル（ＰＵＣＣＨ）のフォーマットがフォーマット０又はフォーマット１であること、
第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記ＴＢの伝送の占有する時間ユニットであり、前記第２時間ユニットが前記プリセットのリソース集合に対応する時間ユニットであること、
第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、
前記第３時間ユニットにＰＤＣＣＨ監視ポイントがないこと、のうちの少なくとも１つを含む。
【００５１】
１つの可能な例では、前記プリセットのリソース集合における時間ユニットは、異なるダウンリンクデータの伝送に用いられ、
前記アップリンク時間ユニット内で伝送されるフィードバック応答情報の数は前記プリセットのリソース集合における時間ユニットの数によって決定される。
【００５２】
１つの可能な例では、前記端末は準静的決定のフィードバック応答情報シーケンス決定モードに構成される。
【００５３】
上記の実施例と同じように、図６を参照すると、図６は本願の実施例に係るネットワーク装置の構造模式図であり、図に示されるように、該ネットワーク装置はプロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは以下のステップを実行するための命令を含む。
【００５４】
複数の時間ユニットが含まれるプリセットのリソース集合における時間ユニット内で、連続時間で繰り返して伝送される１つのＴＢのみを伝送し、
アップリンク時間ユニット内で、前記ＴＢに対応する１ビットのフィードバック応答情報のみを受信する。
【００５５】
明らかなように、本願の実施例では、端末はプリセットのリソース集合における時間ユニット内で１つのＴＢのみを受信し、端末はアップリンク時間ユニット内でＴＢに対応する１ビットのフィードバック応答情報のみを伝送する。ＴＢが連続時間で伝送され、且つプリセットのリソース集合には複数の時間ユニットが含まれ、すなわち、端末がプリセットのリソース集合における時間ユニット内で１つのＴＢのみを受信した場合、端末は現在のプリセットのリソース集合における時間ユニット内に新しいＴＢがないことを決定できるため、対応して、アップリンク時間ユニット内で該ＴＢに対応する１ビットのフィードバック応答情報のみを伝送する。それにより、ＮＲシステムにおいて準静的ＡＣＫ／ＮＡＣＫ情報の決定方法を採用するように構成される端末を実現して、フィードバックオーバーヘッドを低減させ、システム効率を向上させる。
【００５６】
１つの可能な例では、前記ＴＢは予定の条件を満たす。
【００５７】
１つの可能な例では、前記予定の条件は、
前記ＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
フィードバック応答情報を伝送するためのアップリンク制御チャネル（ＰＵＣＣＨ）のフォーマットがフォーマット０又はフォーマット１であること、
第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記ＴＢの伝送の占有する時間ユニットであり、前記第２時間ユニットが前記プリセットのリソース集合に対応する時間ユニットであること、
第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、
前記第３時間ユニットにＰＤＣＣＨ監視ポイントがないこと、のうちの少なくとも１つを含む。
【００５８】
１つの可能な例では、前記プリセットのリソース集合における時間ユニットは、異なるダウンリンクデータの伝送に用いられ、
前記アップリンク時間ユニット内で伝送されるフィードバック応答情報の数は前記プリセットのリソース集合における時間ユニットの数によって決定される。
【００５９】
１つの可能な例では、前記端末は準静的決定のフィードバック応答情報シーケンス決定モードに構成される。
【００６０】
上記は各ネットワーク要素間のインタラクションの観点から、本願の実施例の技術案を説明した。理解できるように、端末とネットワーク装置は上記機能を実現するために、各機能を実行する対応のハードウェア構造及び／又はソフトウェアモジュールを備える。当業者が理解できるように、本明細書の開示された実施例に説明された各例示的なユニット及びアルゴリズムステップについて、本願はハードウェア又はハードウェアとコンピュータソフトウェアの組み合わせの形式で実現できる。ある機能がハードウェアで実行されるかそれともハードウェアを駆動するコンピュータソフトウェアで実行されるかは、技術案の特定の応用及び設計の制約条件に決められる。当業者は異なる方法で、特定の応用ごとに説明される機能を実現することができるが、このような実現が本願の範囲を超えることを見なすべきではない。
【００６１】
本願の実施例は、上記方法例に従って端末とネットワーク装置の機能ユニットを分割することができ、例えば、各機能に対応して各機能ユニットを分割してもよく、又は２つ以上の機能を１つの処理ユニットに統合してもよい。上記統合されるユニットはハードウェアの形式で実現されてもよく、又はソフトウェアプログラムモジュールの形式で実現されてもよい。なお、本願の実施例におけるユニットに対する分割は模式的なものであり、論理的な機能の分割に過ぎず、実際の実現では他の分割方式を有してもよい。
【００６２】
統合ユニットを使用する場合、図７は上記実施例に係る端末の可能な機能ユニットの構造ブロック図を示す。端末７００は処理ユニット７０２及び通信ユニット７０３を備える。処理ユニット７０２は端末の動作を制御して管理し、例えば、処理ユニット７０２は、端末が図２Ａにおけるステップ２０１、２０２、図４におけるステップ４０２、４０３、及び／又は本明細書に説明された技術の他のプロセスを実行することをサポートすることに用いられる。通信ユニット７０３は、端末と他の装置との通信、例えば、ネットワーク装置との間の通信をサポートすることに用いられる。端末は端末のプログラムコード及びデータを記憶するための記憶ユニット７０１を更に備えてもよい。
【００６３】
処理ユニット７０２はプロセッサ又はコントローラであってもよく、例えば中央処理装置（Ｃｅｎｔｒａｌ  Ｐｒｏｃｅｓｓｉｎｇ  Ｕｎｉｔ、ＣＰＵ）、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、又は他のプログラマブルロジックデバイス、トランジスタロジックデバイス、ハードウェアコンポーネント、又はそれらの任意の組み合わせであってもよい。それらは、本願の開示される内容に説明された様々な例示的な論理ブロック、モジュール及び回路を実現又は実行することができる。前記プロセッサはコンピューティング機能を実現する組み合わせであってもよく、例えば、１つ又は複数のマイクロプロセッサの組み合わせ、ＤＳＰとマイクロプロセッサの組み合わせ等を含む。通信ユニット７０３は送受信機、送受信回路等であってもよく、記憶ユニット７０１はメモリであってもよい。
【００６４】
前記処理ユニット７０２は、複数の時間ユニットが含まれるプリセットのリソース集合における時間ユニット内で、連続時間内で繰り返して伝送される１つのＴＢのみを、前記通信ユニットを介して受信すること、及び、アップリンク時間ユニット内で、前記ＴＢに対応する１ビットのフィードバック応答情報のみを、前記通信ユニットを介して伝送することに用いられる。
【００６５】
明らかなように、本発明の実施例では、端末はプリセットのリソース集合における時間ユニット内で１つのＴＢのみを受信し、端末はアップリンク時間ユニット内でＴＢに対応する１ビットのフィードバック応答情報のみを伝送する。ＴＢが連続時間で伝送され、且つプリセットのリソース集合には複数の時間ユニットが含まれ、すなわち、端末がプリセットのリソース集合における時間ユニット内で１つのＴＢのみを受信した場合、端末は現在のプリセットのリソース集合における時間ユニット内に新しいＴＢがないことを決定できるため、対応して、アップリンク時間ユニット内で該ＴＢに対応する１ビットのフィードバック応答情報のみを伝送する。それにより、ＮＲシステムにおいて準静的ＡＣＫ／ＮＡＣＫ情報の決定方法を採用するように構成される端末を実現して、フィードバックオーバーヘッドを低減させ、システム効率を向上させる。
【００６６】
１つの可能な例では、前記処理ユニット７０２は、アップリンク時間ユニット内で、前記ＴＢに対応する１ビットのフィードバック応答情報のみを、前記通信ユニット７０３を介して伝送する前に、前記ＴＢが予定の条件を満たすことを決定することに更に用いられる。
【００６７】
１つの可能な例では、前記予定の条件は、
前記ＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
フィードバック応答情報を伝送するためのアップリンク制御チャネル（ＰＵＣＣＨ）のフォーマットがフォーマット０又はフォーマット１であること、
第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記ＴＢの伝送の占有する時間ユニットであり、前記第２時間ユニットが前記プリセットのリソース集合に対応する時間ユニットであること、
第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、
前記第３時間ユニットにＰＤＣＣＨ監視ポイントがないこと、のうちの少なくとも１つを含む。
【００６８】
１つの可能な例では、前記プリセットのリソース集合における時間ユニットは、異なるダウンリンクデータの伝送に用いられ、
前記アップリンク時間ユニット内で伝送されるフィードバック応答情報の数は前記プリセットのリソース集合における時間ユニットの数によって決定される。
【００６９】
１つの可能な例では、前記端末は準静的決定のフィードバック応答情報シーケンス決定モードに構成される。
【００７０】
処理ユニット７０２がプロセッサであり、通信ユニット７０３が通信インタフェースであり、記憶ユニット７０１がメモリである場合、本願の実施例に係る端末は図５に示される端末であってもよい。
【００７１】
統合ユニットを使用する場合、図８は上記実施例に係るネットワーク装置の可能な機能ユニットの構造ブロック図を示す。ネットワーク装置８００は処理ユニット８０２及び通信ユニット８０３を備える。処理ユニット８０２はネットワーク装置の動作を制御して管理することに用いられ、例えば、処理ユニット８０２はネットワーク装置が図３におけるステップ３０１、３０２、図４におけるステップ４０１、４０４、及び／又は本明細書に説明された技術の他のプロセスを実行することをサポートすることに用いられる。通信ユニット８０３はネットワーク装置と他の装置との通信、例えば、ネットワーク装置との間の通信をサポートすることに用いられる。ネットワーク装置は、ネットワーク装置のプログラムコード及びデータを記憶するための記憶ユニット８０１を更に備えてもよい。
【００７２】
処理ユニット８０２はプロセッサ又はコントローラであってもよく、例えば中央処理装置（Ｃｅｎｔｒａｌ  Ｐｒｏｃｅｓｓｉｎｇ  Ｕｎｉｔ、ＣＰＵ）、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、又は他のプログラマブルロジックデバイス、トランジスタロジックデバイス、ハードウェアコンポーネント、又はそれらの任意の組み合わせであってもよい。それらは、本願の開示される内容に説明された様々な例示的な論理ブロック、モジュール及び回路を実現又は実行することができる。前記プロセッサはコンピューティング機能を実現する組み合わせであってもよく、例えば、１つ又は複数のマイクロプロセッサの組み合わせ、ＤＳＰとマイクロプロセッサの組み合わせ等を含む。通信ユニット８０３は送受信機、送受信回路等であってもよく、記憶ユニット８０１はメモリであってもよい。
【００７３】
前記処理ユニット８０２は、複数の時間ユニットが含まれるプリセットのリソース集合における時間ユニット内で、連続時間内で繰り返して伝送される１つのＴＢのみを、前記通信ユニットを介して伝送すること、及び、アップリンク時間ユニット内で、前記ＴＢに対応する１ビットのフィードバック応答情報のみを前記通信ユニットを介して受信することに用いられる。
【００７４】
明らかなように、本発明の実施例では、端末はプリセットのリソース集合における時間ユニット内で１つのＴＢのみを受信し、端末はアップリンク時間ユニット内でＴＢに対応する１ビットのフィードバック応答情報のみを伝送する。ＴＢが連続時間で伝送され、且つプリセットのリソース集合には複数の時間ユニットが含まれ、すなわち、端末がプリセットのリソース集合における時間ユニット内で１つのＴＢのみを受信した場合、端末は現在のプリセットのリソース集合における時間ユニット内に新しいＴＢがないことを決定できるため、対応して、アップリンク時間ユニット内で該ＴＢに対応する１ビットのフィードバック応答情報のみを伝送する。それにより、ＮＲシステムにおいて準静的ＡＣＫ／ＮＡＣＫ情報の決定方法を採用するように構成される端末を実現して、フィードバックオーバーヘッドを低減させ、システム効率を向上させる。
【００７５】
１つの可能な例では、前記ＴＢは予定の条件を満たす。
【００７６】
１つの可能な例では、前記予定の条件は、
前記ＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
フィードバック応答情報を伝送するためのアップリンク制御チャネル（ＰＵＣＣＨ）のフォーマットがフォーマット０又はフォーマット１であること、
第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記ＴＢの伝送の占有する時間ユニットであり、前記第２時間ユニットが前記プリセットのリソース集合に対応する時間ユニットであること、
第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、
前記第３時間ユニットにＰＤＣＣＨ監視ポイントがないこと、のうちの少なくとも１つを含む。
【００７７】
１つの可能な例では、前記プリセットのリソース集合における時間ユニットは、異なるダウンリンクデータの伝送に用いられ、
前記アップリンク時間ユニット内で伝送されるフィードバック応答情報の数は前記プリセットのリソース集合における時間ユニットの数によって決定される。
【００７８】
１つの可能な例では、前記端末は準静的決定のフィードバック応答情報シーケンス決定モードに構成される。
【００７９】
処理ユニット８０２がプロセッサであり、通信ユニット８０３が通信インタフェースであり、記憶ユニット８０１がメモリである場合、本願の実施例に係るネットワーク装置は図６に示されるネットワーク装置であり得る。
【００８０】
本願の実施例はコンピュータ可読記憶媒体を更に提供し、前記コンピュータ可読記憶媒体には電子データ交換用のコンピュータプログラムが記憶され、前記コンピュータプログラムはコンピュータに上記方法実施例における端末について説明された一部又は全部のステップを実行させる。
【００８１】
本願の実施例はコンピュータ可読記憶媒体を更に提供し、前記コンピュータ可読記憶媒体には電子データ交換用のコンピュータプログラムが記憶され、前記コンピュータプログラムはコンピュータに上記方法実施例におけるネットワーク装置について説明された一部又は全部のステップを実行させる。
【００８２】
本願の実施例はコンピュータプログラム製品を更に提供し、前記コンピュータプログラム製品はコンピュータプログラムが記憶される非一時的なコンピュータ可読記憶媒体を含み、前記コンピュータプログラムは、コンピュータに上記方法実施例における端末について説明された一部又は全部のステップを実行させるように動作することができる。該コンピュータプログラム製品はソフトウェアインストールパッケージであってもよい。
【００８３】
本願の実施例はコンピュータプログラム製品を更に提供し、前記コンピュータプログラム製品はコンピュータプログラムが記憶される非一時的なコンピュータ可読記憶媒体を含み、前記コンピュータプログラムは、コンピュータに上記方法におけるネットワーク装置について説明された一部又は全部のステップを実行させるように動作することができる。該コンピュータプログラム製品はソフトウェアインストールパッケージであってもよい。
【００８４】
本願の実施例に説明される方法又はアルゴリズムのステップは、ハードウェアによって実現されてもよく、又はソフトウェア命令を実行するプロセッサによって実現されてもよい。ソフトウェア命令は対応するソフトウェアモジュールによって構成でき、ソフトウェアモジュールはランダムアクセスメモリ（Ｒａｎｄｏｍ  Ａｃｃｅｓｓ  Ｍｅｍｏｒｙ、ＲＡＭ）、フラッシュメモリ、読み取り専用メモリ（Ｒｅａｄ  Ｏｎｌｙ  Ｍｅｍｏｒｙ、ＲＯＭ）、消去可能なプログラマブル読み取り専用メモリ（Ｅｒａｓａｂｌｅ  Ｐｒｏｇｒａｍｍａｂｌｅ  ＲＯＭ、ＥＰＲＯＭ）、電気的消去可能なプログラマブル読み取り専用メモリ（Ｅｌｅｃｔｒｉｃａｌｌｙ  ＥＰＲＯＭ、ＥＥＰＲＯＭ）、レジスタ、ハードディスク、モバイルハードディスク、コンパクトディスク（ＣＤ−ＲＯＭ）、又は本分野の知られている任意の他の形式の記憶媒体に記憶されてもよい。例示的な記憶媒体はプロセッサに結合されて、プロセッサが該記憶媒体から情報を読み取り、且つ該記憶媒体に情報を書き込むことができるようにする。勿論、記憶媒体はプロセッサの構成部分であってもよい。プロセッサ及び記憶媒体はＡＳＩＣに位置しいてもよい。また、該ＡＳＩＣはアクセスネットワーク装置、ターゲットネットワーク装置又はコアネットワーク装置に位置してもよい。勿論、プロセッサ及び記憶媒体は個他のユニットとしてアクセスネットワーク装置、ターゲットネットワーク装置又はコアネットワーク装置に存在してもよい。
【００８５】
当業者が理解できるように、上記１つ又は複数の例では、本願の実施例に説明される機能はソフトウェア、ハードウェア、ファームウェア又はそれらの任意の組み合わせによって全部又は部分的に実現され得る。ソフトウェアで実現する場合、コンピュータプログラム製品の形式で全部又は部分的に実現され得る。前記コンピュータプログラム製品は１つ又は複数のコンピュータ命令を含む。前記コンピュータプログラム命令をコンピュータにロードして実行するときに、本願の実施例に記載のプロセス又は機能の全部又は一部が生成される。前記コンピュータは汎用コンピュータ、専用コンピュータ、コンピュータネットワーク、又は他のプログラマブル装置であってもよい。前記コンピュータ命令はコンピュータ可読記憶媒体に記憶されてもよく、又は１つのコンピュータ可読記憶媒体から他のコンピュータ可読記憶媒体に伝送されてもよく、例えば、前記コンピュータ命令は１つのウエブサイト、コンピュータ、サーバ又はデータセンターから、有線（例えば同軸ケーブル、光ファイバー、デジタル加入者線（Ｄｉｇｉｔａｌ  Ｓｕｂｓｃｒｉｂｅｒ  Ｌｉｎｅ、ＤＳＬ））又は無線（例えば赤外、無線、マイクロ波等）の方式で他のウエブサイト、コンピュータ、サーバ又はデータセンターに伝送され得る。前記コンピュータ可読記憶媒体は、コンピュータがアクセス可能な任意の利用可能な媒体、又は１つ又は複数の利用可能な媒体統合を含むサーバ、データセンター等のデータ記憶装置であってもよい。前記利用可能な媒体は磁気媒体（例えばフロッピーディスク、ハードディスク、磁気テープ）、光学媒体（例えばデジタルビデオディスク（Ｄｉｇｉｔａｌ  Ｖｉｄｅｏ  Ｄｉｓｃ、ＤＶＤ））、又は半導体媒体（例えばソリッドステートディスク（Ｓｏｌｉｄ  Ｓｔａｔｅ  Ｄｉｓｋ、ＳＳＤ））等であってもよい。
【００８６】
上記の具体的な実施形態は、本願の実施例の目的、技術案、及び有益な効果を更に詳細に説明したが、上記は本願の実施例の具体的な実施形態に過ぎず、本願の実施例の保護範囲を限定するものではなく、本願の実施例の技術案に基づいて行った修正、同等置換、改良等は、いずれも本願の実施例の保護範囲に含まれるべきである。
【図１】
2021515466.tif 000003
【図２Ａ】
2021515466.tif 000004
【図２Ｂ】
2021515466.tif 000005
【図２Ｃ】
2021515466.tif 000006
【図３】
2021515466.tif 000007
【図４】
2021515466.tif 000008
【図５】
2021515466.tif 000009
【図６】
2021515466.tif 000010
【図７】
2021515466.tif 000011
【図８】
2021515466.tif 000012
【手続補正書】
【提出日】令和2年8月24日(2020.8.24)
【手続補正１】
【補正対象書類名】明細書
【補正対象項目名】０００９
【補正方法】変更
【補正の内容】
【０００９】
第５態様では、本願の実施例は端末を提供し、プロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは本願の実施例の第１態様におけるいずれかの方法のステップを実行するための命令を含む。
【手続補正２】
【補正対象書類名】明細書
【補正対象項目名】００２０
【補正方法】変更
【補正の内容】
【００２０】
現在、第５世代移動通信技術（５ｔｈ−Ｇｅｎｅｒａｔｉｏｎ、５Ｇ）の新無線（ｎｅｗ  ｒａｄｉｏ、ＮＲ）システムでは、ダウンリンク物理共有チャネル（ＰＤＳＣＨ）の場合、フィードバック応答情報を動的に示すフィードバックタイミング（ＨＡＲＱ  ｔｉｍｉｎｇ）がサポートされ、即ち、端末は１つのプリセットのリソース集合を決定し、該プリセットのリソース集合には最大８つの値｛Ｋ１０，Ｋ１１，Ｋ１２，Ｋ１３，Ｋ１４，Ｋ１５，Ｋ１６，Ｋ１７｝が含まれる。ダウンリンク制御情報（ＤＣＩ）がスロット（ｓｌｏｔ）ｎで伝送されるＰＤＳＣＨでは、該ＤＣＩはプリセットのリソース集合における値Ｋ１ｉを示すための３ビットのターゲット情報フィールドを含み、対応して、端末はｓｌｏｔ  ｎ＋Ｋ１ｉ内で、該ＰＤＳＣＨに対応するフィードバック応答情報ＡＣＫ／ＮＡＣＫを送信する。ＤＣＩフォーマット１＿０の場合、対応するプリセットのタイミング集合は｛１，２，３，４，５，６，７，８｝に一定する。ＤＣＩフォーマット１＿１の場合、プリセットのタイミング集合における値は上位層のパラメータによって設定される。
【手続補正３】
【補正対象書類名】明細書
【補正対象項目名】００３６
【補正方法】変更
【補正の内容】
【００３６】
１つの可能な例では、前記端末は半静的フィードバック応答情報シーケンス決定モードに構成される。
【手続補正４】
【補正対象書類名】明細書
【補正対象項目名】００３７
【補正方法】変更
【補正の内容】
【００３７】
前記半静的フィードバック応答情報シーケンス決定モードは、基準でＴｙｐｅ−１  ＨＡＲＱ−ＡＣＫ  ｃｏｄｅｂｏｏｋ  ｄｅｔｅｒｍｉｎａｔｉｏｎとも呼称される。
【手続補正５】
【補正対象書類名】明細書
【補正対象項目名】００４３
【補正方法】変更
【補正の内容】
【００４３】
１つの可能な例では、前記端末は半静的フィードバック応答情報シーケンス決定モードに構成される。
【手続補正６】
【補正対象書類名】明細書
【補正対象項目名】００５２
【補正方法】変更
【補正の内容】
【００５２】
１つの可能な例では、前記端末は半静的フィードバック応答情報シーケンス決定モードに構成される。
【手続補正７】
【補正対象書類名】明細書
【補正対象項目名】００５９
【補正方法】変更
【補正の内容】
【００５９】
１つの可能な例では、前記端末は半静的フィードバック応答情報シーケンス決定モードに構成される。
【手続補正８】
【補正対象書類名】明細書
【補正対象項目名】００６９
【補正方法】変更
【補正の内容】
【００６９】
１つの可能な例では、前記端末は半静的フィードバック応答情報シーケンス決定モードに構成される。
【手続補正９】
【補正対象書類名】明細書
【補正対象項目名】００７１
【補正方法】変更
【補正の内容】
【００７１】
統合ユニットを使用する場合、図８は上記実施例に係るネットワーク装置の可能な機能ユニットの構造ブロック図を示す。ネットワーク装置８００は処理ユニット８０２及び通信ユニット８０３を備える。処理ユニット８０２はネットワーク装置の動作を制御して管理することに用いられ、例えば、処理ユニット８０２はネットワーク装置が図３におけるステップ３０１、３０２、図４におけるステップ４０１、４０４、及び／又は本明細書に説明された技術の他のプロセスを実行することをサポートすることに用いられる。通信ユニット８０３はネットワーク装置と他の装置との通信、例えば、端末との間の通信をサポートすることに用いられる。ネットワーク装置は、ネットワーク装置のプログラムコード及びデータを記憶するための記憶ユニット８０１を更に備えてもよい。
【手続補正１０】
【補正対象書類名】明細書
【補正対象項目名】００７８
【補正方法】変更
【補正の内容】
【００７８】
１つの可能な例では、前記端末は半静的フィードバック応答情報シーケンス決定モードに構成される。
【手続補正１１】
【補正対象書類名】特許請求の範囲
【補正対象項目名】全文
【補正方法】変更
【補正の内容】
【特許請求の範囲】
【請求項１】
アップリンク制御情報の伝送方法であって、
端末はプリセットのリソース集合に含まれる複数の時間ユニットにおける各時間ユニット内で、連続時間で伝送される１つの第１の伝送ブロック（ＴＢ）のみを受信することと、
前記端末はアップリンク時間ユニット内で、前記複数の時間ユニットにおいて伝送される複数の第１のＴＢに対応する１ビットのフィードバック応答情報のみを伝送することと、を含むことを特徴とするアップリンク制御情報の伝送方法。
【請求項２】
前記端末はアップリンク時間ユニット内で、前記複数の時間ユニットにおいて伝送される複数の第１のＴＢに対応する１ビットのフィードバック応答情報のみを伝送する前に、前記方法は、
前記端末は前記第１のＴＢが予定の条件を満たすことを決定することを更に含み、
前記予定の条件は、
前記第１のＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
フィードバック応答情報を伝送するためのアップリンク制御チャネル（ＰＵＣＣＨ）のフォーマットがフォーマット０又はフォーマット１であること、
第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記第１のＴＢの伝送の占有する時間ユニットであり、前記第２時間ユニットが前記プリセットのリソース集合に対応する時間ユニットであること、
第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、或いは、
前記第３時間ユニットにＰＤＣＣＨ監視ポイントがないこと、のうちの少なくとも１種を含むことを特徴とする請求項１に記載の方法。
【請求項３】
前記端末は、半静的フィードバック応答情報シーケンス決定モードに構成されることを特徴とする請求項１又は２に記載の方法。
【請求項４】
前記半静的フィードバック応答情報シーケンス決定モードは、Ｔｙｐｅ−１  ＨＡＲＱ−ＡＣＫ  ｃｏｄｅｂｏｏｋ  ｄｅｔｅｒｍｉｎａｔｉｏｎであることを特徴とする請求項３に記載の方法。
【請求項５】
前記連続時間は連続のスロットを含むことを特徴とする請求項１に記載の方法。
【請求項６】
前記複数の時間ユニットは連続のスロットにおける第１のＴＢの伝送に用いられる時間リソースであり、前記連続のスロットにおける各スロットは少なくとも１つの時間ユニットを含むことを特徴とする請求項５に記載の方法。
【請求項７】
アップリンク制御情報の伝送方法であって、
ネットワーク装置はプリセットのリソース集合に含まれる複数の時間ユニットにおける各時間ユニット内で、連続時間で伝送される１つの第１の伝送ブロック（ＴＢ）のみを伝送することと、
前記ネットワーク装置はアップリンク時間ユニット内で、前記複数の時間ユニットにおいて伝送される複数の第１のＴＢに対応する１ビットのフィードバック応答情報のみを受信することと、を含むことを特徴とするアップリンク制御情報の伝送方法。
【請求項８】
前記第１のＴＢが予定の条件を満たし、
前記予定の条件は、
前記第１のＴＢがダウンリンク制御情報フォーマットＤＣＩ  ｆｏｒｍａｔ  １＿０によってスケジューリングされ、且つダウンリンク割当てインデックス（ＤＡＩ）情報フィールドの値が１であること、
フィードバック応答情報を伝送するためのアップリンク制御チャネル（ＰＵＣＣＨ）のフォーマットがフォーマット０又はフォーマット１であること、
第１時間ユニットの数が第２時間ユニットの数の以上であり、且つ前記第１時間ユニットのうちの最後の時間ユニットが前記第２時間ユニットのうちの最後の時間ユニットであり、前記第１時間ユニットが前記第１のＴＢの伝送の占有する時間ユニットであり、前記第２時間ユニットが前記プリセットのリソース集合に対応する時間ユニットであること、
第３時間ユニットの数が前記第１時間ユニットの数よりも小さく、前記第３時間ユニットが、前記プリセットのリソース集合における前記第１時間ユニットのうちの最後の時間ユニットの後に位置する時間ユニットであること、或いは、
前記第３時間ユニットにＰＤＣＣＨ監視ポイントがないこと、のうちの少なくとも１種を含むことを特徴とする請求項７に記載の方法。
【請求項９】
前記端末は、半静的フィードバック応答情報シーケンス決定モードに構成されることを特徴とする請求項７又は８に記載の方法。
【請求項１０】
前記半静的フィードバック応答情報シーケンス決定モードは、Ｔｙｐｅ−１  ＨＡＲＱ−ＡＣＫ  ｃｏｄｅｂｏｏｋ  ｄｅｔｅｒｍｉｎａｔｉｏｎであることを特徴とする請求項９に記載の方法。
【請求項１１】
端末であって、処理ユニット及び通信ユニットを備え、
前記処理ユニットは、プリセットのリソース集合に含まれる複数の時間ユニットにおける各時間ユニット内で、連続時間で伝送される１つの第１の伝送ブロック（ＴＢ）のみを受信すること、及び、アップリンク時間ユニット内で、前記複数の時間ユニットにおいて伝送される複数の第１のＴＢに対応する１ビットのフィードバック応答情報のみを、前記通信ユニットを介して伝送することに用いられることを特徴とする端末。
【請求項１２】
ネットワーク装置であって、処理ユニット及び通信ユニットを備え、
前記処理ユニットは、プリセットのリソース集合に含まれる複数の時間ユニットにおける各時間ユニット内で、連続時間で伝送される１つの第１の伝送ブロック（ＴＢ）のみを伝送すること、及び、アップリンク時間ユニット内で、前記複数の時間ユニットにおいて伝送される複数の第１のＴＢに対応する１ビットのフィードバック応答情報のみを前記通信ユニットを介して受信することに用いられることを特徴とするネットワーク装置。
【請求項１３】
端末であって、プロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは請求項１〜６のいずれか１項に記載の方法のステップを実行するための命令を含むことを特徴とする端末。
【請求項１４】
ネットワーク装置であって、プロセッサ、メモリ、通信インタフェース、及び１つ又は複数のプログラムを備え、前記１つ又は複数のプログラムは前記メモリに記憶され、且つ前記プロセッサによって実行されるように構成され、前記プログラムは請求項７〜１０のいずれか１項に記載の方法のステップを実行するための命令を含むことを特徴とするネットワーク装置。
【請求項１５】
コンピュータ可読記憶媒体であって、電子データ交換用のコンピュータプログラムが記憶され、前記コンピュータプログラムはコンピュータに請求項１〜１０のいずれか１項に記載の方法を実行させることを特徴とするコンピュータ可読記憶媒体。
【国際調査報告】
2021515466.tif 000013
2021515466.tif 000014
2021515466.tif 000015
2021515466.tif 000016
2021515466.tif 000017
2021515466.tif 000018